(57)【要約】【課題】構造が簡単で、娯楽性に優れたオパール貴石様ガラス容器を提供する。【解決手段】グラス１０は、全体が透光性を有する素材から構成され、光の当たる角度によって反射光の色が変化する反射材２０が底面に設けられている。この反射材２０は、反射光がグラス１０の内側面に照射されるように設けられたホログラムシートであり、このホログラムシートには、破片模様又は幾何学的模様が施されている。グラス１０は、有底筒状に形成されており、胴体部１４が多角形状に形成され、開口部１２が円形状に形成されている。【選択図】図４
0003166533.tif 000002
【実用新案登録請求の範囲】
【請求項１】
全体が透光性を有する素材から構成され、光の当たる角度によって反射光の色が変化する反射材が底面に設けられていることを特徴とするオパール貴石様ガラス容器。
【請求項２】
前記反射材は、前記反射光がガラス容器の内側面に照射されるように設けられていることを特徴とする請求項１に記載のオパール貴石様ガラス容器。
【請求項３】
前記反射材は、ホログラムシートであることを特徴とする請求項１又は２に記載のオパール貴石様ガラス容器。
【請求項４】
前記反射材は、破片模様又は幾何学的模様が施されたホログラムシートであることを特徴とする請求項３に記載のオパール貴石様ガラス容器。
【請求項５】
有底筒状に形成され、胴体部が、多角形状に形成されていることを特徴とする請求項１乃至４いずれか１項に記載のオパール貴石様ガラス容器。
【請求項６】
有底筒状に形成され、開口部が、円形状に形成されていることを特徴とする請求項１乃至５いずれか１項に記載のオパール貴石様ガラス容器。
【考案の詳細な説明】
【技術分野】
【０００１】
本考案は、飲料を食する際などに使用されるガラス容器であって、オパール貴石のような光彩を現出させるオパール貴石様ガラス容器に関するものである。
【背景技術】
【０００２】
従来、飲料を食する際などに使用されるガラス容器として、例えば、ガラス容器の底部に光源を設けてガラス容器を発光させたり（特許文献１参照）、ガラス容器の底部に装飾物を設けて飲料の界面に該装飾物を投影させたりすることにより（特許文献２参照）、娯楽性が付与されたものが知られている。
【先行技術文献】
【特許文献】
【０００３】
【特許文献１】特開平０８−２９９１４４号公報
【特許文献２】実開平０３−１１８０７４号公報
【考案の概要】
【考案が解決しようとする課題】
【０００４】
しかしながら、これら特許文献１及び２に記載された従来のガラス容器は、構造が複雑であり、また、構成部材が多く必要以上に重量が重くなるため、生産性が悪く、実用性に欠けるものである。
【０００５】
そこで、本考案は、構造が簡単で、娯楽性に優れたオパール貴石様ガラス容器を提供することを目的とする。
【課題を解決するための手段】
【０００６】
以上の目的を達成するため、本考案に係るオパール貴石様ガラス容器は、全体が透光性を有する素材から構成され、光の当たる角度によって反射光の色が変化する反射材が底面に設けられていることを特徴とする。
【０００７】
このように、本考案に係るオパール貴石様ガラス容器は、光の当たる角度によって反射光の色が変化する、すなわち、オパール貴石のような反射光彩を現出させる反射材が底面に設けられていることにより、この反射材によって反射された反射光がガラス容器の内側面からなる鏡面に照射されるため、娯楽性に優れたガラス容器とすることができる。また、本考案に係るオパール貴石様ガラス容器は、底面に反射材を施すだけで得ることができるため、構造が簡単で、生産性及び実用性に優れたガラス容器とすることができる。
【０００８】
ここで、透光性とは、光が透過する性質をいい、透過率が高く、物質を通してその向こう側が透けて見える性質（いわゆる透明）や、透過率が低く、物質を通してその向こう側が透けて見えない性質を含むものとする。
【０００９】
本考案に係るオパール貴石様ガラス容器において、前記反射材は、前記反射光がガラス容器の内側面に照射されるように設けられていることが好ましく、また、ホログラムシートであることが好ましい。このホログラムシートは、破片模様又は幾何学的模様が施されたものであることが好ましく、このような破片模様又は幾何学的模様が施されたホログラムシールを用いることで、ガラス容器の内側面に照射される反射光により破片模様又は幾何学的模様が現出されるため、より娯楽性に優れたガラス容器とすることができる。
【００１０】
また、本考案に係るオパール貴石様ガラス容器は、有底筒状に形成され、胴体部が多角形状に形成されていることが好ましく、また、開口部が円形状に形成されていることが好ましい。本考案に係るオパール貴石様ガラス容器は、このように胴体部が多角形状に形成されることにより、持ち易く、滑りにくいグラスとすることができ、また、ガラス容器の内側面が平滑な鏡面となるため、反射材による反射光を鮮明に映し出すことができる。さらに、本考案に係るオパール貴石様ガラス容器は、開口部が円形状に形成されることにより、飲料を食する際に飲料がこぼれにくく、飲みやすいガラス容器とすることができる。
【考案の効果】
【００１１】
以上のように、本考案に係るオパール貴石様ガラス容器によれば、構造が簡単で、娯楽性に優れたオパール貴石様ガラス容器を提供することができる。
【図面の簡単な説明】
【００１２】
【図１】本考案の一実施形態に係るオパール貴石様ガラス容器を示す正面図である。
【図２】図１のＡ−Ａ´線に沿った断面図である。
【図３】本実施形態に係るオパール貴石様ガラス容器の底部を示す部分拡大断面図である。
【図４】本実施形態に係るオパール貴石様ガラス容器を斜め上方から見た際に、ガラス容器の内側面に照射される反射光を概念的に示した斜視図である。
【考案を実施するための形態】
【００１３】
次に、本考案に係るオパール貴石様ガラス容器の一実施形態について図面に基づいて説明する。本実施形態に係るオパール貴石様ガラス容器（以下、単に「グラス」という）１０は、図１に示すように、有底筒状に形成され、その底部１６に反射材２０が設けられている。
【００１４】
グラス１０は、全体が例えばガラスや石英などの透光性を有する素材から構成されている。ここで、透光性とは、光が透過する性質をいい、透過率が高く、物質を通してその向こう側が透けて見える性質（いわゆる透明）や、透過率が低く、物質を通してその向こう側が透けて見えない性質を含むものとする。このグラス１０は、上端の開口部１２及びその近傍からなる円筒状の部分と、胴体部１４及び底部１６からなる八角形状の部分とを有し、全体が開口部１２から底部１６に向かって若干先細りとなるテーパ状の有底筒状に形成され、全体における高さ方向の割合が、円筒状の部分が１程度、八角形状の部分が２程度となるように構成されている。このようにグラス１０の飲み口部分である開口部１２及びその近傍が円筒状に形成されることにより、飲料を食する際に飲料がこぼれにくく、飲みやすいグラスとすることができる。また、グラス１０の把持部分である胴体部１４及び底部１６が八角形状に形成されることにより、飲料を食する際に飲料がこぼれにくく、かつ持ち易いグラスとすることができ、さらに、グラス１０の内側面が平滑な鏡面となるため、反射材２０による反射光を鮮明に映し出すことができる。
【００１５】
グラス１０の底部１６の底面側には、図１及び図３に示すように、下方に向けて開口を有する凹部１８が形成されており、この凹部１８は、その内部に反射材２０を収容できる程度の大きさを有している。このように、グラス１０の底部１６に反射材２０を収容する凹部１８が形成されることにより、反射材２０がテーブル等に直接接触しないため、擦れなどによる反射材２０の劣化を防止することができる。また、グラス１０の底部１６に凹部１８が形成されることにより、グラス１０の底面とテーブル等との接触面積を小さくすることができるため、グラスの底面全体がテーブル等と接触する場合に比べて、テーブル等にグラス１０を置いた際のがたつきを抑えることができる。
【００１６】
反射材２０は、図２に示すように、例えば、破片模様や幾何学的模様が施されたホログラムシートなどからなり、光の当たる角度によって反射光の色が変化するように、すなわちオパール貴石のような光彩を現出させる（遊色効果を有する）ように構成されている。なお、図中では、破片模様が施されたホログラムシートを用いているが、幾何学的模様など様々な模様が施されたホログラムシートを用いることもできる。このようなホログラムシートは、一般に市販されているものを用いることができる。
【００１７】
この反射材２０は、図３に示すように、グラス１０の凹部１８内の底面に反射面が接した状態で、例えば食品安全衛生法に適応した透明ウルシやアクリル樹脂系などの合成ウルシからなる透明なカバー材２２によって被覆され、グラス１０の凹部１８内に保持されている。このように、反射材２０の反射面がグラス１０の凹部１８内の底面と接するように、すなわち反射面がグラス１０の内側に向くように設けられることにより、グラス１０の内側面に反射材２０による反射光を照射させることができる。また、反射材２０をカバー材２２によって被覆することにより、反射材２０の水濡れを防止することができる。なお、反射材２０に粘着層を形成し、グラス１０の凹部１８に接着させる構成としても良い。
【００１８】
このカバー材２２の被覆は、例えば、ゆっくり回転する板状にその中心軸が一致するようにグラス１０を上下逆さまな状態で載置し、凹部１８に反射材２０を収容させた後に、反射材２０上に液状の合成ウルシを一滴落下させて、回転による遠心力で凹部１８全体に合成ウルシを一様に薄く塗布させた後、合成ウルシを乾燥させて固化させることにより、行なうことができる。この際、グラス１０の底部１６に凹部１８が形成されているため、凹部１８からはみ出すことなくカバー材２２を塗布することができる。
【００１９】
本実施形態に係るオパール貴石様ガラス容器は、光の当たる角度によって反射光の色が変化する反射材２０が底部１６に収容されていることにより、図４に示すように、グラス１０の内側面に反射材２０の色彩豊かで幻想的な反射光、すなわちオパール貴石のような光彩を照射させることができるため、簡単な構造で、娯楽に優れたグラスとすることができる。
【００２０】
本実施形態に係るオパール貴石様ガラス容器において、反射材２０は、凹部１８内に収容される構成としたが、これに限定されず、反射材２０の反射面がグラス１０の内側を向くように設けられていれば良く、例えば反射材２０は、グラス１０の底部１６の内面上に設けられるとしても良い。この場合には、カバー材２２は、反射材２０を被覆するようにグラス１０の底部１６の内面上に施されることとなり、飲料に直接触れることとなるが、カバー材２２として食品安全衛生法に適応した透明ウルシやアクリル樹脂系などの合成ウルシを用いているため、衛生上問題なくグラス１０を使用することができる。
【００２１】
また、本実施形態に係るオパール貴石様ガラス容器において、開口部１２及びその近傍が円筒状に形成され、胴体部１４及び底部１６が八角形状に形成されるとしたが、これに限定されず、グラスは、様々な形状を採用することができ、例えば、全体が多角形状や円筒形状に形成されたものを用いることもできる。
【符号の説明】
【００２２】
１０  グラス、１２  開口部、１４  胴体部、１６  底部、１８  凹部、２０  反射材、２２  カバー材
【図１】
0003166533.tif 000003
【図２】
0003166533.tif 000004
【図３】
0003166533.tif 000005
【図４】
0003166533.tif 000006